(57)【要約】【課題】寿司皿と搬送路面の摩擦を軽減できる循環型飲食物搬送装置を提供すること。【解決手段】無端状の搬送路４上に載置された搬送台６の底部に取付けられた磁性材もしくは磁石を、前記搬送路の下方を循環走行する磁石もしくは磁性体による相互作用により、循環搬送させるようにした循環型飲食物搬送装置１において、前記搬送路４の搬送路面７に液体層８を形成し、搬送される搬送台６に浮力を付与できるようになっている【選択図】    図１
2004290521.tif 000002
【特許請求の範囲】
【請求項１】
無端状の搬送路上に載置された飲食物搬送部材の底部に取付けられた磁性材もしくは磁石を、前記搬送路の下方を循環走行する磁石もしくは磁性体による相互作用により、循環搬送させるようにした循環型飲食物搬送装置において、
前記搬送路の搬送路面に液体層を形成し、搬送される前記飲食物搬送部材に浮力を付与できるようになっていることを特徴とする循環型飲食物搬送装置。
【請求項２】
前記飲食物搬送部材が飲食物容器載置用の搬送台であり、該搬送台が液体層により浮力を与えられるようになっている請求項１に記載の循環型飲食物搬送装置。
【請求項３】
前記搬送台には周囲を取巻くように壁面が形成されている請求項２に記載の循環型飲食物搬送装置。
【請求項４】
前記搬送台における液体層に侵入する部分の形状が、進行方向の幅が左右方向の幅よりも長い形状に形成されている請求項２または３に記載の循環型飲食物搬送装置。
【請求項５】
前記搬送台の横幅寸法が前記搬送路の横幅寸法とほぼ同じ寸法に形成されている請求項２ないし４のいずれかに記載の循環型飲食物搬送装置。
【請求項６】
前記搬送路の両サイドに前記搬送台を保持するためのガイドレールが形成されている請求項１ないし５のいずれかに記載の循環型飲食物搬送装置。
【請求項７】
前記液体は、マイナスイオンやオゾン水を使用する請求項１に記載の循環型飲食物搬送装置。
【請求項８】
前記搬送路の底面所定箇所に水抜き穴が設けられている請求項１または７に記載の循環型飲食物搬送装置。
【請求項９】
前記搬送路の内底面横方向の傾斜面が設けられ、該傾斜面下端部には前記搬送路の長手方向に所定幅の溝が設けられている請求項１ないし８のいずれかに記載の循環型飲食物搬送装置。
【請求項１０】
前記搬送路の溝の所定箇所に、バルブで開閉可能な排水管が設けられている請求項９に記載の循環型飲食物搬送装置。
【発明の詳細な説明】
【０００１】
【発明の属する技術分野】
本発明は、飲食カウンタに沿って無端状に形成された搬送路により寿司等の飲食物を循環搬送し、これをお客に提供する循環型飲食物搬送装置に関する。
【０００２】
【従来の技術】
従来、本願出願人が先に特許出願している搬送路上の清掃を極めて容易に行うことができるようにした循環型飲食物搬送装置は、飲食物を飲食客に提供する循環型飲食物搬送路に不動のスライド板が設けられ、そのスライド板上に載置された磁性体付き食物容器がスライド板下部を循環移動するマグネットに誘導され、循環搬送されるようになっている。（例えば特許文献１参照）
【０００３】
【特許文献１】
特開平１１−４６９５９号公報（第３頁、第１図）
【０００４】
図１０は、上記マグネット式の運搬手段を有する搬送装置の一部を略示するもので、搬送手段ａは、無端走行チェーンｂと、この上部に一定の間隔を設けて取付けられたブランケットｃと、各ブランケットｃの上面に固定された永久マグネットｄとからなっている。
【０００５】
搬送路ｅの上に外周部下面ｊの両側が搬送路ｅを構成する案内カイド部ｋに受支された寿司皿ｇは、その下面糸底部ｉに取付けられた磁性金属片ｈを上記各永久マグネットｄの上端と近接させ、永久マグネットｄの反発力により安定保持させ、永久マグネットｄの移動によって、搬送路ｅ上に設けられた滑り部材ｌ上を摺接するように循環搬送するようになっている。なお、前記マグネットの反発力の他に吸引力を利用するものも存在する。
【０００６】
【発明が解決しようとする課題】
しかしながら、この搬送路ｅ上の寿司皿ｇの循環搬送が長時間続けられると、滑り部材ｌと寿司皿ｇとの接触面に発生する摩擦で、滑り部材ｌの磨耗が進み、搬送路ｅを構成する案内カイド部ｋや前記寿司皿ｇの載置面、つまり前記不動のスライド板が傷つくばかりでなく、接触面に大きな摩擦力が発生し、円滑な搬送ができなくなる場合がある。
【０００７】
本発明は、このような問題点に着目してなされたもので、寿司皿と搬送路面の摩擦を軽減できる循環型飲食物搬送装置を提供することを目的とする。
【０００８】
【課題を解決するための手段】
上記課題を解決するために、無端状の搬送路上に載置された飲食物搬送部材の底部に取付けられた磁性材もしくは磁石を、前記搬送路の下方を循環走行する磁石もしくは磁性体による相互作用により、循環搬送させるようにした循環型飲食物搬送装置において、
前記搬送路の搬送路面に液体層を形成し、搬送される前記飲食物搬送部材に浮力を付与できるようになっていることを特徴としている。
この特徴によれば、搬送路面に載置される飲食物搬送部材は、液体層により浮力が付与されるために搬送路面から受ける抗力が小さくなるか、もしくは浮上するため、搬送路面と飲食物搬送部材との接地面の摩擦が減少するか、もしくはゼロになり、飲食物搬送部材の循環走行時に発生する搬送路面への傷は防止されるとともに、飲食物搬送部材を循環搬送する推進力の減退が防止される。
【０００９】
本発明の循環型飲食物搬送装置は、前記飲食物搬送部材が飲食物容器載置用の搬送台であり、該搬送台が液体層により浮力を与えられるようになっていることが好ましい。
このようにすれば、前記飲食物容器が搬送路面に形成されている液体層に直接、触れないため、前記飲食物容器に液体が付着せず、飲食カウンターや飲食客の服などを濡らすことがない。
【００１０】
本発明の循環型飲食物搬送装置は、前記搬送台には周囲を取巻く壁面が形成されていることが好ましい。
このようにすれば、前記液体が前記壁面に阻まれ、前記搬送台内部に液体が侵入しにくく、前記搬送台上の前記飲食物容器が濡れるのを防止できる。
【００１１】
本発明の循環型飲食物搬送装置は、前記搬送台における液体層に侵入する部分の形状が、進行方向の幅が左右方向の幅よりも長い形状に形成されていることが好ましい。
このようにすれば、前記搬送台が受ける液体の抵抗が少なくなるため、前記搬送台の循環搬送する推進力が減退されない。
【００１２】
本発明の循環型飲食物搬送装置は、前記搬送台の横幅寸法が前記搬送路の横幅寸法とほぼ同じ寸法に形成されていることが好ましい。
このようにすれば、前記搬送台は前記搬送路内での横振れを防止できるとともに、前記搬送台で搬送路面を被覆できるため、搬送路面に形成された液体層を飲食客に露出させない構造にできる。
【００１３】
本発明の循環型飲食物搬送装置は、前記搬送路の両サイドに前記搬送台を保持するためのガイドレールが形成されていることが好ましい。
このようにすれば、前記搬送台は前記ガイドレールに支持されて搬送されるため、安定した搬送が可能になる。
【００１４】
本発明の循環型飲食物搬送装置は、前記液体は、マイナスイオンやオゾン水を使用することが好ましい。
このようにすれば、前記搬送路内の消臭と殺菌が循環型飲食物搬送装置の運転中に可能になり、店内の悪臭を防止できる。
【００１５】
本発明の循環型飲食物搬送装置は、前記搬送路の底面所定箇所に水抜き穴が設けられていることが好ましい。
このようにすれば、前記水抜き穴を介して、搬送路面に形成された液体の交換が容易に行える。
【００１６】
本発明の循環型飲食物搬送装置は、前記搬送路の内底面に横幅方向の傾斜面が設けられ、該傾斜面下端部には前記搬送路の長手方向に所定幅の溝が設けられていることが好ましい。
このようにすれば、前記飲食物の屑等が、前記横幅方向に設けられた底面の傾斜面に沿って移動し、前記長手方向の溝に収集できるため、前記搬送路の清掃時には、前記長手方向の溝を清掃するだけで、前記飲食物の屑等が容易に回収できる。
【００１７】
本発明の循環型飲食物搬送装置は、前記搬送路の溝の所定箇所に、バルブで開閉可能な排水管が設けられていることが好ましい。
このようにすれば、収集した飲食物の屑等を液体とともに容易に排出できる。
【００１８】
【発明の実施の形態】
以下、本発明の実施例を図面に基づいて説明する。
【００１９】
図１は本発明の実施例１の循環型飲食物搬送装置の一部を省略した外観斜視図、図２は図１のＡ−Ａ線の断面図、図３（ａ）は本発明の実施例１の搬送台の斜視図、図３（ｂ）は図２のＢ−Ｂ線の断面図、図４（ａ）は本発明の実施例２の搬送台の斜視図、図４（ｂ）は本発明の実施例２の搬送台の断面図、図５（ａ）本発明の実施例３の搬送台の斜視図、図５（ｂ）は本発明の実施例３の搬送台の断面図、図６（ａ）は本発明の実施例４の搬送台の斜視図、図６（ｂ）は本発明の実施例４の搬送台の断面図、図７は本発明の実施例５の搬送路の断面図、図８（ａ）は本発明の実施例６の搬送路の平面図、図８（ｂ）は図８（ａ）のＣ−Ｃ線の断面図、図８（ｃ）は図８（ａ）の斜視図、図９は本発明の実施例７を示す一部を省略した断面図である。
【００２０】
図１は、本発明の実施例１の循環型飲食物搬送装置１（以下、搬送装置と略称する）の一部を示す外観斜視図が示されており、この搬送装置１は、給湯装置９を有する飲食カウンタ２と、案内ダクト３と、合成樹脂または金属製等の搬送路４と、合成樹脂または瀬戸物製等の飲食容器５（以下、寿司皿とする）と、合成樹脂または金属製等の搬送台６と、から構成されている。
【００２１】
前記案内ダクト３の上部に形成された無端状の搬送路４には、搬送路面７に液体層８（以下、本実施例は液体に水を利用するため水層とする）が形成されており、この水層８は、寿司皿５が載置された搬送台６に浮力を付与できるようになっている。なお、搬送路４は、搬送路面７と該搬送路面７の両端に立設された案内ガイド２０とから構成されており、搬送路４上の水層８として、満遍なく張られた水を保持している。
【００２２】
図２は、図１のＡ−Ａ線の断面図が示されており、案内ダクト３内にはマグネット式の搬送機構１０が設けられており、搬送機構１０はチェーンレール１１と、駆動チェーン１２と、ブランケット１３と、永久磁石１４とから構成されており、水層８が形成されている搬送路面７には、磁性体１５が有する搬送台６が置かれ、この搬送台６には、上述したように寿司皿５が載置されている。
【００２３】
上記の搬送機構１０は、案内ダクト３内の上面に固着した支持基盤１６上にボルト止めされた無端状のチェーンレール１１に案内されて飲食カウンタ２の内側を循環走行する無端状の駆動チェーン１２と、駆動チェーン１２の上端部に一定間隔でブランケット１３が固着され、ブランケット１３の上面には、永久磁石１４の上端面が案内ダクト３の裏面に近接するように取付けられている。
【００２４】
案内ダクト３の搬送機構１０の駆動チェーン１２に図示していない電源スイッチの電源を投入すると、無端状のチェーンレール１１の案内で駆動チェーン１２が所定方向に移動し、同時に永久磁石１４も所定方向に移動し、さらに、磁性体１５が設けられた搬送台６は、前記永久磁石１４の磁力との相互作用により、安定して搬送路４を循環搬送される。
【００２５】
この循環搬送時に、搬送路面７に載置される前記搬送台６は、この水層８に沈下した分の体積に相当する浮力が付与され、この浮力が付与されるために搬送路面から受ける抗力が小さくなるか、もしくは浮上するため、搬送路面７と搬送台６との接地面の摩擦が減少するか、もしくはゼロになり、搬送台６の循環走行時に発生する搬送路面７への傷は防止されるとともに、搬送台６を循環搬送する推進力の減退が防止される。
【００２６】
図３の（ａ）は、周囲を取巻く壁面２２が形成されている搬送台６が示されており、該搬送台６には、磁性体１５が内蔵された円形の底部２１の周囲を取巻くように壁面２２が立設されている。特に、図３の（ｂ）は、図２のＢ−Ｂ線の拡大断面図であり、寿司皿５を載置した上述の搬送台６と、水層８が形成されている搬送路面７との関係が示されている。
【００２７】
この実施例では、搬送路６と寿司皿５等の荷重のため、搬送台６の底面が多少の浮力を受けつつも搬送路面７に当接している。この場合、搬送台６の底面が搬送路面７に当接しているため、搬送台６は下面を支持され、安定した走行が可能にとなる。
【００２８】
また、磁性体１５が内蔵された搬送台６に周囲を取巻く壁面２２が立設され、底部２１に水の浸入が防止されているため、水層８内の水に触れることがなく、前記寿司皿５を手に取る飲食客に水が付着しないばかりか、飲食カウンタ２上も水で濡れないので、飲食客に清潔な飲食空間を提供できる。
【００２９】
通常、液体層の液体には水道水を使用するが、マイナスイオン水やオゾン水を使用する場合は、店舗が営業している時間帯には、マイナスイオン水を使用することが望ましく、店舗閉店中の無人の時間帯ではオゾン水を使用することが望ましい。
【００３０】
このように、マイナスイオン水やオゾン水を諸条件（例えば、開店時、閉店時または無人の時間帯）にあわせて使用することによって、前記搬送路４内の消臭と殺菌が搬送装置２の運転中に可能になり、定期的に行う殺菌消毒作業の工程と時間を簡略できるとともに、常に衛生的で清潔な搬送路４の保持が可能になる。
【００３１】
図４には実施例２が示され、磁性体１５が内蔵された搬送台６と、搬送路４と、水層８との関係が示されており、図４（ａ）には、底部２１の裏面２３の進行方向の幅が左右方向の幅よりも長い形状に形成されている搬送台６の斜視図が示されており、図４（ｂ）にはその断面図が示されている。
【００３２】
進行方向の幅が左右方向の幅よりも長い形状に形成され、さらに、この底面部分の両側が切り欠かれている搬送台６は、搬送台６の先頭が水層８を切り裂くように進行するため、この搬送台６の受ける水層８の抵抗は減少し、この搬送台６の循環搬送する推進力が減退されないばかりか、搬送台６のローリング（左右の揺れ）に対してその復元力が小さくなり、左右の揺れに対して飲食客が気にならない周期の復元力が得られる。
【００３３】
また、搬送台６には底部２１より周囲を取巻く壁面２２が立設され、底部２１に水の浸入が防止されているため、水層内の水等８に触れることがなく、前記寿司皿５を手に取る飲食客に水が付着しないばかりか、飲食カウンタ２上も水８で濡れないので、飲食客に清潔な飲食空間を提供できる。
【００３４】
図５には実施例３が示され、磁性体１５が内蔵された搬送台６と、搬送路４と、水層８との関係が示されており、図５（ａ）には搬送台６の進行方向の先頭部がＵ字型に成形された凸部２４が設けられ、一方の後部にはＵ字型に成形された凹部２５が設けられており、さらに、図５（ｂ）に示されているように、搬送台６の横幅寸法が搬送路４の横幅寸法とほぼ同じ寸法に形成されている。
【００３５】
これら搬送台６、６はそれぞれ前後の凸部２４と凹部２５とがかみ合うような状態で進行し、それぞれの搬送台６，６が互いに横方向の移動を規制するため、搬送路４内での横振れを可能な限り防止できるとともに、前記搬送台６，６で搬送路面７を覆えるため、搬送路面７に形成された水層８を飲食客に露出させない構造にできる。
【００３６】
また、搬送台６には底部２１より周囲を取巻く壁面２２が立設され、底部２１に水の浸入が防止されているため、水層内の水等８に触れることがなく、前記寿司皿５を手に取る飲食客に水が付着しないばかりか、飲食カウンタ２上も水８で濡れないので、飲食客に清潔な飲食空間を提供できる。
【００３７】
図６には実施例４の斜視図が示され、図６（ａ）には、搬送路４を形成する両案内ガイド２０の内側に搬送台ガイドレール２６が設けられており、一方、搬送台６には、周囲を取巻く壁面２２の下端部に、前記搬送台ガイドレール２６に載置される段部２７が設けられている。
【００３８】
より詳しくは、図６（ｂ）に示されているように、前記搬送台６が搬送路４を循環搬送される時に、搬送路４に形成されている両搬送台ガイドレール２６に搬送台６の周囲に形成された段部２７が支持されるようになっており、前記搬送台ガイドレール２６と前記段部２７とが摺接しながら安定した搬送が可能になっている。
【００３９】
図７には実施例５の断面図が示され、搬送路４の搬送路面７の所定箇所には、水抜き穴２８が設けられており、水抜き穴２８には、通常時は栓２９により蓋がされており、水抜き穴２８の下部には、清掃時に栓２９を抜き、水等８を排水できる排水ダクト３１が設けられている。
【００４０】
本発明の実施例５の搬送路４では、搬送路面７に水抜き穴２８が設けられているため、水抜き穴２８を介して、搬送路面７に形成された水層８の排水が容易に行えるとともに、前記底角部に湾曲部が形成されているため、寿司皿５よりこぼれ落ちた飲食物の屑等が容易に清掃できる。
【００４１】
図８（ａ）には実施例６の平面図が示され、搬送路４の搬送路面７の長手方向に設けられている所定幅の溝３２と、前記溝３２の所定箇所に水抜き穴３３が設けられている。
【００４２】
図８（ｂ）はＣ−Ｃ線の拡大断面図、図８（ｃ）は実施例６の斜視図が示されており、搬送路４の搬送路面７の横幅方向に傾斜面が設けられ、搬送路面７上に形成されている水層８と、傾斜面下端部に前記溝３２と、前記水抜き穴３３と、捕集網３４と、バルブ３６が設けられている排水管３５とから構成されている。
【００４３】
本発明の実施例６の搬送路４では、寿司皿５よりこぼれ落ちた飲食物の屑等３７は、搬送路４の搬送路面７の横幅方向に設けられた傾斜面と、水流とに影響され、前記溝３２に移動し、自動的に収集されるようになっている。
【００４４】
従って、前記搬送路４の清掃時には、前記溝３２の捕集網３４を取り上げ、さらに、前記溝３２を清掃するだけで、前記飲食物の屑等３７の回収と清掃が容易に行えるようになっている。
【００４５】
なお、図９に示すように、寿司皿４５が磁性体４７を有し、その糸底部４６が水層８内に直接置かれ、磁石１４もしくは磁性体４７の磁力の影響で循環するようになっている使用方法も本発明に含まれることは明らかである。
【００４６】
特に、各実施例にあっては、搬送台６や実施例７の寿司皿４５が、搬送路面７上の循環搬送を開始すると、搬送台６や寿司皿４５の影響で、搬送路４の水層８内に水流が発生する。
【００４７】
この水流の力は搬送台６や寿司皿４５を押す力となり、搬送機構１０の駆動チェーン１２にかかる負荷が小さくなり、長時間循環搬送を稼動する場合、消費する駆動エネルギーは少なくて済むため、省エネに効果を発揮できる。
【００４８】
以上、本発明の実施例を図面により説明してきたが、具体的な構成はこれら実施例に限られるものではなく、本発明の要旨を逸脱しない範囲における変更や追加があっても本発明に含まれる。特に、液体層の液体としては、水の他、油、液体プラスチック等、適宜変更可能である。
【００４９】
例えば、本実施例では、搬送路４の搬送路面７が平板状に成形されているが、その形状は水層８を形成できる形状に成形されていれば、例えば樋状でも可能である。
【００５０】
例えば、搬送機構１０内の永久磁石１４は、搬送路面７上の搬送台６や実施例８の磁性体４７付き寿司皿４５が移動可能な磁力を発生するものであれば、電気磁石等でも可能であり、搬送機構１０内の永久磁石１４を磁性体とし、搬送台６の磁性体４７を磁石に変更することも可能である。
【００５１】
例えば、搬送台６の底部２１より周囲を取巻くように立設されている壁面２２は、循環搬送中に搬送台６の内側に水層８の進入を阻止できるものであれば、その形状は限定しない。
【００５２】
例えば、搬送路４の搬送路面７に横幅方向に設けられた傾斜面の角度と傾斜面下端部に設けられる溝の位置は、寿司皿５よりこぼれ落ちた飲食物の屑等３７が、水層８の水流に影響され、溝３２に移動可能な角度であれば可能であり、溝の位置は搬送路４の清掃が容易に実行できれば、進行方向に向って左右どちらに形成されていても可能であり、さらに、搬送路面７に横幅方向に傾斜面を設けることなく、搬送路面を平面に構成し、所定箇所に横幅方向に所定寸法の溝を形成することも可能である。
【００５３】
【発明の効果】
本発明は以下の効果を奏する。
【００５４】
（ａ）請求項１項の発明によれば、搬送路面に載置される飲食物搬送部材は、液体層により浮力が付与されるために搬送路面から受ける抗力が小さくなるか、もしくは浮上するため、搬送路面と飲食物搬送部材との接地面の摩擦が減少するか、もしくはゼロになり、飲食物搬送部材の循環走行時に発生する搬送路面への傷は防止されるとともに、飲食物搬送部材を循環搬送する推進力の減退が防止される。
【００５５】
（ｂ）請求項２項の発明によれば、前記飲食物容器が搬送路面に形成されている液体層に直接、触れないため、前記飲食物容器に液体が付着せず、飲食カウンターや飲食客の服などを濡らすことがない。
【００５６】
（ｃ）請求項３項の発明によれば、前記液体が前記壁面に阻まれ、前記搬送台内部に液体が侵入しにくく、前記搬送台上の前記飲食物容器が濡れるのを防止できる。
【００５７】
（ｄ）請求項４項の発明によれば、前記搬送台が受ける液体の抵抗が少なくなるため、前記搬送台の循環搬送する推進力が減退されない。
【００５８】
（ｅ）請求項５項の発明によれば、前記搬送台は前記搬送路内での横振れを防止できるとともに、前記搬送台で搬送路面を被覆できるため、搬送路面に形成された液体層を飲食客に露出させない構造にできる。
【００５９】
（ｆ）請求項６項の発明によれば、前記搬送台は前記ガイドレールに支持されて搬送されるため、安定した搬送が可能になる。
【００６０】
（ｇ）請求項７項の発明によれば、前記搬送路内の消臭と殺菌が循環型飲食物搬送装置の運転中に可能になり、店内の悪臭を防止できる。
【００６１】
（ｈ）請求項８項の発明によれば、前記水抜き穴を介して、搬送路面に形成された液体の交換が容易に行える。
【００６２】
（ｉ）請求項９項の発明によれば、前記飲食物の屑等が、前記横幅方向に設けられた底面の傾斜面に沿って移動し、前記長手方向の溝に収集できるため、前記搬送路の清掃時には、前記長手方向の溝を清掃するだけで、前記飲食物の屑等が容易に回収できる。
【００６３】
（ｊ）請求項１０項の発明によれば、収集した飲食物の屑等を液体とともに容易に排出できる。
【図面の簡単な説明】
【図１】本発明の実施例１の循環型飲食物搬送装置の一部を省略した外観斜視図である。
【図２】図１のＡ−Ａ線の拡大断面図である。
【図３】（ａ）は本発明の実施例１の搬送台の斜視図である。
（ｂ）は図２のＢ−Ｂ線の拡大断面図である。
【図４】（ａ）は本発明の実施例２の搬送台の斜視図である。
（ｂ）は本発明の実施例２の搬送台の断面図である。
【図５】（ａ）は本発明の実施例３の搬送台の斜視図である。
（ｂ）は本発明の実施例３の搬送台の断面図である。
【図６】（ａ）は本発明の実施例４の搬送台の斜視図である。
（ｂ）は本発明の実施例４の搬送台の断面図である。
【図７】本発明の実施例５の搬送路の断面図である。
【図８】（ａ）は本発明の実施例６の搬送路の平面図である。
（ｂ）は図８（ａ）のＣ−Ｃ線の拡大断面図である。
（ｃ）は図８（ａ）の斜視図である。
【図９】本発明の実施例７を示す一部を省略した断面図である。
【図１０】従来の循環型飲食物搬送装置の一部を省略した断面図である。
【符号の説明】
１  循環型飲食物搬送装置
２  飲食カウンタ
３  案内ダクト
４  搬送路
５  寿司皿
６  搬送台
７  搬送路面
８  液体層（水層）
９  給湯装置
１０        搬送機構
１１  チェーンレール
１２  駆動チェーン
１３  ブランケット
１４  永久磁石
１５  磁性体
１６  支持基盤
２０  案内ガイド
２１  底部
２２  壁面
２３  裏面
２４  凸部
２５  凹部
２６  搬送台ガイドレール
２７  段部
２８  水抜き穴
２９  栓
３１  排水ダクト
３２  溝
３３  水抜き穴
３４  捕集網
３５  排水管
３６  バルブ
３７  屑等
４５  寿司皿
４６  糸底部
４７  磁性体
【図１】
2004290521.tif 000003
【図２】
2004290521.tif 000004
【図３】
2004290521.tif 000005
【図４】
2004290521.tif 000006
【図５】
2004290521.tif 000007
【図６】
2004290521.tif 000008
【図７】
2004290521.tif 000009
【図８】
2004290521.tif 000010
【図９】
2004290521.tif 000011
【図１０】
2004290521.tif 000012